(57)【要約】      （修正有）【課題】エンジン音による運転の心準備ができない電動三輪車において、誤動作による発進事故を防止することができる安全装置を提供する。【解決手段】駆動スイッチ１２４のオン状態で、ハンドル右手グリップ部のアクセル手段１２１の操作に基づいて制御手段１１４が駆動用モータ１１６に駆動電流を通電する電動三輪車において、前記車両に設けられた運転シート台への運転者の搭乗及び非搭乗を検知する搭乗検知手段１１２を設け、該搭乗検知手段が、前記座席に設けられた着座スイッチであって、運転者の搭乗を検知し、着座信号Ｓ２を制御手段に送信し、前記制御手段が駆動信号と着座信号のアンド信号を検知すると、前記搭乗検知手段による前記運転者の搭乗検知時には、前記駆動用モータへの通電を行い、非搭乗時には前記駆動モータへの通電を中止する。【選択図】図２
2011083158.tif 000002
【特許請求の範囲】
【請求項１】
駆動スイッチ１２４のオン状態で、ハンドル右手グリップ部のアクセル手段１２１の操作に基づいて制御手段１１４が駆動用モータ１１６に駆動電流を通電する電動三輪車１００において、
前記車両に設けられた運転シート台１１１への運転者の搭乗及び非搭乗を検知する搭乗検知手段１１２を設け、前記搭乗検知手段を、前記座席に設けられた着座スイッチとし、運転者の搭乗を検知し、その着座信号を前記制御手段１１４に送信させるようになっており、該制御手段１１４が駆動信号Ｓ１と着座信号Ｓ２のアンド信号を検知することにより、前記搭乗検知手段１１２による前記運転者の搭乗検知時には、前記駆動用モータ１１６への通電を行い、非搭乗時には前記駆動モータ１１６への通電を中止することを特徴とする電動三輪車の安全装置。
【請求項２】
着座スイッチが一定体重以上の搭乗者の重量を感知するリミットスイッチ１１２である請求項１記載の電動三輪車の安全装置。
【請求項３】
更に、ハンドル左手グリップのブレーキアームにブレーキ状態をロックするパーキング装置１３０を設けてなる請求項１または２記載の電動三輪車の安全装置。
【請求項４】
駆動スイッチ１２４がオン状態で、モータ回転可能な状態を知らせるアイドリング音を発生させ、搭乗検知手段１１２が搭乗状態を検知した時、アクセル手段１２１の操作に基づき、モータ回転数に応じてモータ音を増減できるモータ音発生装置１４０を備える請求項１ないし３のいずれかに記載の電動三輪車の安全装置。
【発明の詳細な説明】
【技術分野】
【０００１】
この発明は、電動三輪車の安全装置に関する。
【背景技術】
【０００２】
従来、電動三輪車は電動スイッチにより車輪の駆動モータを作動可能とし、右手ハンドルグリップ部のアクセルの握りにより駆動モータの駆動電力を送って運転するように構成されている。
【０００３】
この電動三輪車においては、右手ハンドルグリップ部は通常アクセル操作を行うようになっているため、三輪車に搭乗する際には右手ハンドルグリップ部をつい、握ると、一時停車で駆動スイッチがオン状態の場合は、誤動作で電動三輪車が発進し、危険である。しかしながら、この種電動三輪車の安全性についてはカーブ走行の自動減速をはかることができ、安全性を高くした電動三輪車を提供されているに過ぎない（特許文献１）。
【０００４】
また、ガソリンエンジンバイクと異なり、電動車の場合は一般にはモータ音がなく、あっても小さく、電動スイッチがオン状態かどうかはメータ類の点灯によって識別することになるが、電動車運転に慣れないものは、エンジン音による運転の心準備ができていないので誤動作が起こりやすい。更にまた、電動バイクには一般に自動車と異なり、パーキング装置（サイドブレーキ装置）が備わっていないので、この不意の発進を避けることができない。
【先行技術文献】
【特許文献】
【０００５】
【特許文献１】特開平８−１５４３１３号公報
【発明の開示】
【発明が解決しようとする課題】
【０００６】
そこで、本発明はエンジン音による運転の心準備ができない電動三輪車において、誤動作による発進事故を防止することができる安全装置を提供することを目的とする。
【課題を解決するための手段】
【０００７】
上記した目的を達成するために、本発明は、駆動スイッチのオン状態で、ハンドル右手グリップ部のアクセル手段の操作に基づいて制御手段が駆動用モータに駆動電流を通電する電動三輪車において、前記車両に設けられた運転シート台への運転者の搭乗及び非搭乗を検知する搭乗検知手段を設け、前記搭乗検知手段を、前記座席に設けられた着座スイッチとし、運転者の搭乗を検知し、着座信号Ｓ２を送信させる一方、前記制御手段は、前記駆動スイッチの駆動信号Ｓ１と前記着座スイッチの着座信号Ｓ２のアンド信号により、前記搭乗検知手段による前記運転者の搭乗検知時には、前記駆動用モータへの通電を行い、非搭乗時には前記駆動モータへの通電を中止することを特徴としている安全装置にある。
【発明の効果】
【０００８】
このような構成によれば、搭乗検知手段により運転シート台への運転者の搭乗が検知されると、駆動スイッチとのアンド信号によりハンドル右手グリップのアクセル動作で所定の電動運転が行われる。したがって、運転者が運転台に搭乗していない間は駆動スイッチがオン状態にあってもモータはアクセル動作に応答しない。そのため、運転者が運転シート台に搭乗していない間、駆動モータの制御が中止され、電動三輪車が誤動作により発進することがないので、安全である。
【０００９】
また、本発明は、前記運転台に座席を備え、前記搭乗検知手段が、前記座席に設けられた一定の体重（例えば大人標準体重）以上の搭乗者の重量を感知する着座スイッチから成ることにより子供が着座しても駆動モータの制御が解除されたままなので、子供の搭乗があっても駆動モータはアクセル操作に反応せず安全である。
【００１０】
さらに、ハンドル左手グリップのブレーキアームにブレーキ状態をロックするパーキング装置を設けると、搭乗状態でのアクセルの誤操作があっても発進しない。また、電動スイッチがオン状態の時にモータ回転可能な状態を知らせるアイドリング音を発生させるモータ音発生装置を備えると、運転準備の心構えができるので、安全性をより向上させることができる。
【図面の簡単な説明】
【００１１】
【図１】この発明の一実施形態にかかる電動三輪車の背面から見た斜視図である。
【図２】本発明の電動三輪車の動作説明図である。
【図３】本発明のパーキング装置の操作説明図である。
【発明を実施するための形態】
【００１２】
本発明の電動三輪車の一実施形態について説明する。図１に示すように本実施形態における電動三輪車１００は、座席シート１１１が設けられている車両本体１１０と、この車両本体１１０の前部に設けられたハンドル装置１２０とにより構成されており、座席シート１１１には着座スイッチ１１２が設けられ、その下部には電源装置１１３が内蔵され、図示しない制御装置１１４を介して車輪１１５に内装された駆動モータ１１６を駆動できるようになっている。
【００１３】
他方、ハンドル装置１２０は、右アクセルグリップ１２１と、左グリップ１２２および左ブレーキアーム１２３とを備え、左ブレーキアーム１２３には図３に示すパーキング装置１３０が設けられ、主として後輪をブレーキ状態に置くことができるようになっている。なお、１２４は駆動スイッチで、１２５はバックスイッチである。
【００１４】
ハンドル装置１２０の中央部には、フロントパネル１２６が設けられ、その下部には駆動スイッチ１２４が設けられている。
【００１５】
ところで、座席シート１１１には、図示を省略する運転者の搭乗検知手段としての着座スイッチ１１２が配設されており、この着座スイッチにより、運転者の着席（搭乗）及び非着席（非搭乗）を検知している。この着座スイッチは、赤外線スイッチまたはリミットスイッチにより構成することができ、運転者が座席１１１に着座するとスイッチがＯＮして搭乗検知状態となり、これを制御手段１１４に着座信号Ｓ２として送信し、運転者が座席１１１から離れるとスイッチがＯＦＦして非搭乗検知状態となる。リミットスイッチの場合、搭乗者の体重を検知できるようにして、大人体重を考慮して３０ないし６０Kg以上の人が座席シート１１１に着座すると初めて着座信号Ｓ２が送信されるようになる。
【００１６】
続いて、上記した電動三輪車１００の安全装置の制御系について説明すると、図２に示すように構成されている。即ち、本発明の安全装置は上記駆動スイッチと連動する着座スイッチ１１２とハンドブレーキアーム１２３と連動するパーキング装置１３０およびそこに設けられたパーキングスイッチ１３１と電動モータ１１６と連動するモータ音発生装置１４０とからなり、図２に示すように、駆動スイッチ１２４をオンすると、駆動信号Ｓ１が制御手段１１４に送られる。ここで、運転者が座席シート１１１に着座すると、着座スイッチ１１２が搭乗者の体重を感知し、例えば３０Ｋｇ以上であると、制御手段１１４に着座信号Ｓ２が送信される。この駆動信号Ｓ１と着座信号Ｓ２とのアンド信号により制御手段１１４は電動モータ１１６に電源から送電できる駆動準備状態とする。他方、上記駆動信号Ｓ１はモータ音発生装置１４０にも送信され、モータ音発生装置１４０からはアイドリング音を発生させることができるようになる。
【００１７】
そして、パーキングスイッチ１３１がオフされると、解除信号Ｓ３が制御手段１１４に送信され、制御手段１１４は電源１１３から電動モータ１１６に送電される。電動モータへの送電量はアクセル手段１２１に遊びがあり、その回転開度に応じて所望速度に相応するアクセル信号S４が制御手段１１４に送信され、それに応じて電動モータ１１６を徐々に大きくなるように駆動する。駆動速度は切り換えスイッチ１２７により高速運転可能状態と低速運転可能状態とに切り替え可能とすることができる。なお、電動モータ１１４の駆動量に応じてモータ音発生装置１４０からモータ音が発せられる。
【００１８】
更に、本発明ではバックスイッチ１２５を入れると、バック信号Ｓ５が制御手段に送られ、電動モータ１１６をアクセル手段１２１により逆転させ、低速で後進できるようにもなっている。
【００１９】
図３は左手ハンドル部１２２前方のブレーキアーム１２３をロックするパーキング装置１３０を示す。パーキング装置１３０は支点１３３でバネ１３３ａにより前方に回転付勢されたロックレバー１３２と上方付勢された昇降ピン１３４ａを内装するロックピン１３４とからなり、通常ロックピン１３４はブレーキアーム１２３の上部に位置している（図３（a））が、ブレーキアーム１２３を矢印１方向に引き、矢印２方向に昇降ピン１３４ａを下方に押し下げると、昇降ピン１３４ａはロックピン胴部下端から突出する一方、昇降ピン１３４ａの上部に当接しているロックレバー１３２が矢印３方向に回動し、昇降ピン１３４の上部溝１３４ｂに嵌まり込んで昇降ピン１３４ｂの上方移動をロックし、ブレーキアーム１２３をブレーキ状態でロックする（図３（ｂ））。そして、ロックレバー１３２を矢印６の後方に引き、ロックレバー１３４の溝１３４ｂによる係合を解き、ブレーキアーム１２３を矢印６の後方に引くと、昇降ピン１３４ａはブレーキレバー１２３との当接が解除され、上方付勢により自動的に矢印７方向に移動するので、ブレーキアーム１２３は点線位置まで復帰してパーキングロックが解除される（図３（ｃ））。
【００２０】
従って、上記した実施形態によれば、運転者が座席１１１に着座していない間は、駆動スイッチ１２４がＯＮ状態であってもアクセル手段１２１を不用意に操作してもモータ１１６の回転は中止されたままになる。そして、運転者が着座してその体重が制限値（例えば３０ｋｇ）より大きい場合は着座信号Ｓ２が制御手段１１４に送られるので駆動信号Ｓ１と着座信号Ｓ２とのアンド信号にアクセル手段１２１を操作すると、アクセル信号Ｓ４に従って電動モータ１１６が回転駆動され、電動三輪車は前進する。前進速度は切り替えスイッチ１２７より高速と低速に切り替え可能である。後進の場合はバックスイッチ１２５を押し、バック信号Ｓ５を送っている間はアクセル手段１２１の操作により低速後進が行われる。
【００２１】
本発明においては、図３に示すパーキング装置１３０が設けてあるので、停止の際にパーキング装置１３０でブレーキアーム１２３を後方でロックしておくことができるので、ブレーキがかかった状態となり、安全である。
【００２２】
また、駆動スイッチ１２４をＯＮすることにより駆動信号Ｓ１がモータ音発生装置１４０に送られるので、アイドリング音が発生され、アクセル操作により駆動音が増大するようになり、ガソリンエンジン音を再現できることになる。また、バックスイッチ１２５により後進を知らせる警戒音を発生させることもできる。
【００２３】
本発明は上記した実施形態に限定されるものではなく、その趣旨を逸脱しない限りにおいて上述したもの以外に種々の変更を行うことが可能である。
【符号の説明】
【００２４】
１００  電動三輪車
１１０  車体本体
１１１  着座シート
１１２  着座スイッチ
１１３  電源
１１４  制御手段
１１５  車輪
１１６  電動モータ
１２０  ハンドル装置
１２１  アクセル手段
１２３  ブレーキアーム
１３０  パーキング装置
１３１  パーキングスイッチ
１４０  モータ音発生装置
【図１】
2011083158.tif 000003
【図２】
2011083158.tif 000004
【図３】
2011083158.tif 000005